(57)【要約】      （修正有）【課題】各伝送区間において補助データ（メタデータ）を重畳できる映像信号の重畳可能位置を検索する操作器と各伝送区間毎に伝送可能な補助データの多重領域に応じて、その多重領域を変更可能な補助データ重畳装置とを備える映像伝送システムを提供する。【解決手段】補助データ重畳装置は、送受信部と、映像入力信号処理部と、映像出力信号処理部と、補助データ重畳装置制御部を備える。操作器は、通信部と、多重設定手段と、操作器制御部と、映像信号処理部を備える。操作器制御部は、多重設定手段で設定した重畳設定情報と伝送システムからの受信映像から抽出した重畳取得定情報と比較し補助データの多重可能領域として記憶する。【選択図】図３
2017216534.tif 000002
【特許請求の範囲】
【請求項１】
映像機器から映像信号を受信し、操作器で指定された情報を映像信号に重畳して出力する補助データ重畳装置と、撮像装置の動作を制御する制御信号を出力する操作器と、映像を伝送するための伝送システムを備える映像伝送システムにおいて、
前記補助データ重畳装置は、前記操作器と制御信号を送受信する送受信部と、
前記映像機器からの映像信号を受信し、重畳された補助データを抽出する映像入力信号処理部と、
前記映像機器の映像信号に補助データを重畳する映像出力信号処理部と、
前記操作器からの設定を、前記映像出力信号処理部に出力する補助データ重畳装置制御部を備え、
前記操作器は、前記補助データ重畳装置と信号を送受信する通信部と
前記映像機器からの映像信号に補助データを重畳の設定をすることが可能な多重設定手段と、
前記多重設定手段からの設定情報を前記通信部へ出力する操作器制御部と、
前記伝送システムからの映像を受信し、重畳取得情報を抽出する映像信号処理部を備え、
前記操作器制御部は、前記多重設定手段で設定した重畳設定情報と前記伝送システムからの受信映像から抽出した前記重畳取得情報と比較し、前記伝送システムにおける各伝送区間の補助データの多重可能領域として記憶することを特徴とする映像伝送システム。
【請求項２】
前記操作器において、各伝送区間において共通の多重領域が確保されない場合は、前記多重設定手段は前記各伝送区間の補助データの多重可能領域をもとに、伝送区間毎に多重不可能な領域を多重可能な領域に変更することを特徴とする請求項１に記載の映像補助データ多重伝送システム。
【発明の詳細な説明】
【技術分野】
【０００１】
本発明は、補助データ重畳装置及び撮像装置を制御する操作器に関し、特に、遠隔から撮像装置を制御する操作器から指定された情報を撮像装置からの映像信号に重畳して出力する補助データ重畳装置、及びそれを備える映像伝送システムに関する。
【背景技術】
【０００２】
テレビ放送局では、放送局内での使用目的のためにテレビカメラから出力される映像信号のブランキング領域に機器ＩＤや映像素材に関する情報（撮影日時、レンズデータ、カメラデータ等）の補助データを重畳することが行われている。
【０００３】
特許文献１には、撮像装置のＣＣＵ（カメラ・コントロール・ユニット）から出力される映像信号に、撮像装置からのメタデータ（レンズ設定メタデータやＰＣからのシーン情報メタデータ等）を重畳するメタデータ付加装置が開示されている。
【先行技術文献】
【特許文献】
【０００４】
【特許文献１】特開２００４−３１２２７８号公報
【発明の概要】
【発明が解決しようとする課題】
【０００５】
テレビ放送局には、遠隔に設置された撮像装置（電動雲台付きカメラ）を、編集室などに設置された操作器（コントローラ）を操作して被写体を撮影し、撮影映像を天気予報やニュース等で放送するリモコン映像伝送システムがある。
【０００６】
図９はリモコン映像伝送システムに、特許文献１で開示されているようなメタデータ付加装置５０ａ、５０ｂを構成した場合の概略図である。
【０００７】
撮像装置１０は、ズーミングやフォーカシング機能等を有する撮影レンズ付きのカメラ１と、パンニング及びチルティング等の旋回動作が可能な電動雲台２、カメラ、レンズの設定メタデータ６を出力するメタデータ出力部６０から構成されている。
【０００８】
操作器３０は、撮像装置１０とケーブルで接続され、カメラ１のズーム、ゲイン、シャッター等のカメラ制御、電動雲台２のパンニング、チルティング等の旋回動作をさせる制御信号を撮像装置１０に送信している。
【０００９】
メタデータ付加装置５０ａは、撮像装置１０から映像信号３、カメラ、レンズ設定メタデータ６（補助データ）が入力され、ＰＣ７０ａで設定された映像信号の重畳位置に補助データを重畳した補助データ重畳映像信号４ａを伝送システム８０ａに出力する。メタデータ付加装置５０ｂは伝送システム８０ａの入力映像信号に他の映像機器のメタデータを付加し、補助データ重畳映像信号４ｂを伝送システム８０ｂに出力する。
【００１０】
伝送システム８０ａ、８０ｂは、映像信号を遠隔地に伝送するためのシステムで、ＦＰＵ（Ｆｉｅｌｄ  Ｐｉｃｋｕｐ  Ｕｎｉｔ）と呼ばれる小型多重マイクロ波送受信機や通信衛星を使用した無線システムや、光ファイバーケーブルや同軸ケーブルを使用した有線システムである。また、無線と有線システムを組み合わせた複合システム等で、図９のようにメタデータ付加装置５０ａ、伝送システム８０ａからなる伝送区間Ａと、メタデータ付加装置５０ｂ、伝送システム８０ｂからなる伝送区間Ｂが多段中継接続される伝送されることが多い。
【００１１】
補助データ表示装置９０には、伝送システム８０ａ、８０ｂを経由した映像信号５ｂが入力され、映像信号５ｂに重畳された補助データを抽出し、液晶画面などに補助データを表示する。
【００１２】
ところで、撮像装置１０から出力されるＨＤ−ＳＤＩ等の映像信号３は、１．４８５Ｇｂｐｓと言った大容量のベースバンド信号である。大容量のベースバンド信号を、そのまま非圧縮で遠隔地に伝送することは、電波法やコスト等の問題のため困難である。そこで、伝送システム８０ａ、８０ｂでは、ＭＰＥＧ−２や、Ｈ２６４等の圧縮伸長符号化装置（コーデック）を使用して、ベースバンド信号を圧縮後、無線や有線で伝送を行っている。また、伝送システム８０ａ、８０ｂ内の受信側では、圧縮された映像信号を伸長しＨＤ−ＳＤＩ等の既定のフォーマット信号に復元している。
【００１３】
しかし、コーデック等での圧縮伸長の過程や、機器の構成等により、メタデータ付加装置５０ａ、５０ｂで映像信号に重畳された補助データが伝送システム８０ａ、８０ｂにおいて消失し、補助データ表示装置９０で補助データを受信出来ない場合がある。
【００１４】
このような場合、テレビ放送局のオペレータは、あらかじめ伝送システム８０ａ、８０ｂを含む映像伝送システムにおいて、各伝送路間で映像信号に補助データを重畳し受信可能な共通領域を確認し、メタデータ付加装置５ａ、５ｂに共通の補助データ多重領域を設定する事が必要である。しかしながら、多段中継しデータ付加装置が複数使用される場合、多重する補助データ量が多くなり、共通の多重領域が確保されない場合、必要とされる補助データをすべて多重できないといった事が発生する。
【００１５】
本発明の目的は、上述の問題点に鑑みてなされたものであり、各伝送区間において補助データ（メタデータ）が消失することのない重畳可能領域を検索する操作器と、各伝送区間毎に伝送可能な補助データの多重領域に応じて、その多重領域を変更する補助データ重畳装置とを備える映像伝送システムを提供することにある。
【課題を解決するための手段】
【００１６】
上記の目的を達成するために、本発明に係る映像伝送システムは、
映像機器から映像信号を受信し、操作器で指定された情報を映像信号に重畳して出力する補助データ重畳装置と、撮像装置の動作を制御する制御信号を出力する操作器と、映像を伝送するための伝送システムを備える映像伝送システムにおいて、
前記補助データ重畳装置は、前記操作器と制御信号を送受信する送受信部と、
前記映像機器からの映像信号を受信し、重畳された補助データを抽出する映像入力信号処理部と、
前記映像機器の映像信号に補助データを重畳する映像出力信号処理部と、
前記操作器からの設定を、前記映像出力信号処理部に出力する補助データ重畳装置制御部を備え、
前記操作器は、前記補助データ重畳装置と信号を送受信する通信部と
前記映像機器からの映像信号に補助データを重畳の設定をすることが可能な多重設定手段と、
前記多重設定手段からの設定情報を前記通信部へ出力する操作器制御部と、
前記伝送システムからの映像を受信し、重畳取得情報を抽出する映像信号処理部を備え、
前記操作器制御部は、前記多重設定手段で設定した重畳設定情報と前記伝送システムからの受信映像から抽出した前記重畳取得情報と比較し、前記伝送システムにおける各伝送区間の補助データの多重可能領域として記憶することを特徴とする。
【発明の効果】
【００１７】
本発明に係る映像伝送システムによれば、各伝送区間毎に伝送可能な補助データの多重領域を検索し設定することにより、多重した補助データを消失することなく伝送が可能である。
【図面の簡単な説明】
【００１８】
【図１】実施例１の構成図
【図２】実施例１の撮像装置１０の構成図
【図３】実施例１の補助データ重畳装置２０ａ、２０ｂの構成図
【図４】実施例１の補助データ重畳装置２０ａ、２０ｂのＣＰＵ２０２の内部処理のフローチャート図
【図５】実施例１の操作器３０の構成図
【図６】実施例１の操作器３０のＣＰＵ２０２の内部処理のフローチャート図
【図７】実施例１の操作器３０の多重取得情報のテーブルデータの例
【図８】実施例１の操作器３０の多重設定情報のテーブルデータの例
【図９】メタデ−タ付加装置が構成された映像伝送システムの概略図
【発明を実施するための形態】
【００１９】
以下、本発明を実施するための形態について、図面を参照しながら説明する。
【実施例１】
【００２０】
≪映像伝送システムの全体構成≫
図１は本発明の第１の実施例である映像伝送システムの構成図である。
【００２１】
本実施形態のシステムは、撮像装置１０、補助データ重畳装置２０ａ、２０ｂ、伝送システム８０ａ、８０ｂ、操作器３０から構成される。
【００２２】
撮像装置１０は、ズーミングやフォーカシングの機能等を有する撮影レンズ付きのカメラ１と、パンニング（横方向の駆動）及びチルティング（縦方向の駆動）等の旋回動作が可能な電動雲台２から構成されている。
【００２３】
伝送システム８０ａ、８０ｂは、映像信号を遠隔地まで伝送するためのシステムでＦＰＵや通信衛星等の無線システム、または、光ファイバーケーブル、同軸ケーブル等を使用して伝送する有線システム、または、無線及び有線を組み合わせたシステムである。
【００２４】
伝送システム８０ａ、８０ｂは、映像信号の入出力がＨＤ−ＳＤＩ等の既定のフォーマットで入出力されていれば、無線、有線、または、その組み合わせのシステムであってもかまわない。また、伝送システム８０ａ、８０ｂ内部で、映像信号をＭＰＥＧ−２、Ｈ２６４等で圧縮及び伸長したり、非圧縮で伝送を行ってもかまわない。
【００２５】
つまり、伝送システム８０ａ、８０ｂは、映像信号の入出力がＨＤ−ＳＤＩ等の既定のフォーマットで入出力されていれば、伝送方式、圧縮方式、機器構成等、自由な組み合わせが可能で特定のシステムに限定されるものではない。
【００２６】
本実施例では補助データ重畳装置２０ａと伝送システム８０ａから構成される伝送区間Ａと補助データ重畳装置２０ｂと伝送システム８０ｂから構成される伝送区間Ｂが多段接続され、撮像装置１０の映像が受信地点まで伝送されている。
【００２７】
図１では２つの伝送システムを経由した映像伝送の例であるが、３以上の伝送システムが多段接続され受信地点まで映像が伝送されていても構わない。操作器３０は、ズーミングや画像のゲイン調整等のカメラ１の各種制御、パンニングやチルティング等の電動雲台２の各種制御が行えるようになっている。また、補助データ重畳装置２０ａ、２０ｂの多重ラインの制御も行えるようになっている。
【００２８】
具体的には、操作器３０から撮像装置１０を制御する制御信号は、補助データ重畳装置２０ａを経由して、撮像装置１０へ送信される。また、カメラ１、電動雲台２からの送信信号、具体的には、操作器３０からの制御信号に対して返答するアンサー信号や、アラーム信号等も補助データ重畳装置２０ａを経由して操作器３０へ送信される。補助データ重畳装置２０ａは、さらに、カメラ１から出力される映像信号３を受信し、操作器３０によって設定された、カメラ１、電動雲台２、操作器３０からの補助データを重畳した補助データ重畳映像信号４ａを伝送システム８０ａに出力する。
【００２９】
補助データ重畳装置２０ｂには伝送システム８０ａからの映像信号５ａが出力され、他の映像機器（図示せず）からの重畳用データ多重ラインの制御と機器への設定が操作器３０によって行われ、補助データ重畳映像信号４ｂは伝送システム８０ｂを介し、映像信号５ｂが操作器３０に出力される。
【００３０】
なお、本実施例では、撮像装置１０には電動雲台２が構成されているが、電動雲台２が構成されていないカメラ１のみの装置でもかまわない。また、補助データ重畳装置２０ａは、撮像装置１０から離れた遠隔地、例えば、受信拠点や放送局内に設置されていてもよいし、撮像装置１０の内部に構成されていてもかまわない。
【００３１】
次に伝送システム８０ａ、８０ｂを除く上述した各装置について詳細に説明する。
【００３２】
≪撮像装置１０≫
図２は撮像装置１０の構成図である。
【００３３】
撮像装置１０は、光学ブロック１０１、レンズ駆動部１０２、撮像部１０３、映像信号処理部１０４、映像信号出力部１０５、ＣＰＵ１０６、パン・チルト駆動部１０７、送受信部１０８から構成されている。
【００３４】
光学ブロック１０１は、ズーム用、フォーカス用の複数枚のレンズと絞り等から構成され、被写体からの光を撮像部１０３に入射させる。
【００３５】
レンズ駆動部１０２は、光学ブロック１０１のズーム用レンズ、フォーカス用レンズ、絞り等をＣＰＵ１０６からの指令信号に応じて駆動する。また、レンズ駆動部１０２には、エンコーダ、ポテンショメータ等の位置センサ（図示せず）が搭載され、ＣＰＵ１０６に現在のレンズ、絞りのレンズ情報データをＣＰＵ１０６に出力する。
【００３６】
撮像部１０３は、光学ブロック１０１からの被写体からの光をＣＣＤやＣＭＯＳセンサー等の撮像素子（図示せず）で受光し、光電変換し、アナログ映像信号として出力する。
【００３７】
映像信号処理部１０４は、撮像部１０３からのアナログ映像信号をデジタル変換し、ゲイン、輝度、色等をＣＰＵ１０６からの指令信号に応じて調整しデジタル映像信号として映像信号出力部１０５へ出力する。
【００３８】
映像信号出力部１０５は、所定の映像フォーマット、例えばＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：米国映画テレビ技術者協会）、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）で規定されているＨＤ−ＳＤＩ信号等に変換して出力する。
【００３９】
パン・チルト駆動部１０７は、ＣＰＵ１０６からの指令信号に応じて電動雲台２をパン方向、チルト方向に駆動する。また、パン・チルト駆動部１０７には、エンコーダ、ポテンショメータ等の位置センサ（図示せず）が搭載され、現在の電動雲台２のパン、チルト角度情報データをＣＰＵ１０６に出力する。
【００４０】
ＣＰＵ１０６は、レンズ駆動部１０２、撮像部１０３、映像信号処理部１０４、パン・チルト駆動部１０７、送受信部１０８と各々接続され、各部の設定や制御、上述したカメラ設定情報、レンズ情報データ、雲台角度情報データ等の送受信を行っている。
【００４１】
送受信部１０８は、ＲＳ−２３２やＲＳ−４２２等の所定の通信プロトコルで他の装置と信号の送受信を行うためのインタフェースである。本実施例では補助データ重畳装置２０ａと信号の送受信を行っている。補助データ重畳装置２０ａを使用しない場合は、操作器３０や他の装置、モデムやＲＳ−４２２／２３２変換装置等と接続できるインタフェースとなっている。
【００４２】
≪補助データ重畳装置２０ａ、２０ｂ≫
次に、補助データ重畳装置２０ａ、２０ｂに関して図３を用いて説明する。
【００４３】
補助データ重畳装置２０ａ、２０ｂは、映像入力信号処理部２０１、ＣＰＵ２０２、映像機器側送受信部２０３、操作器側送受信部２０４、メモリ２０５、映像出力信号処理部２０６から構成されている。尚、「補助データ」は、ＡＲＩＢ  ＢＴＡ  Ｓ−００５における、「デジタルインターフェースにおいて、映像信号のブランキング期間を用いて伝送される各種の信号をいう」の事である。
【００４４】
映像入力信号処理部２０１は、撮像装置１０や他の映像機器からの入力された映像信号３（本実施例ではＨＤ−ＳＤＩ信号）をパラレル変換し、補助データが重畳されている映像ライン及びバイト数の検出を行い、その結果をＣＰＵ２０２に出力し、メモリ２０５に記憶する。
【００４５】
映像出力信号処理部２０６は、ＣＰＵ２０２からの補助データ設定情報に基づいて補助データを重畳し、パラレル信号をシリアル信号に変換し、補助データ重畳映像信号４、例えば、ＨＤ−ＳＤＩ信号として出力する。
【００４６】
映像機器側送受信部２０３は、ＲＳ−２３２やＲＳ−４２２等の所定の通信プロトコルで、撮像装置１０と信号の送受信を行うための通信インタフェースである。操作器側送受信部２０４は、ＲＳ−２３２やＲＳ−４２２等の所定の通信プロトコルで、操作器３０と信号の送受信を行うための通信インタフェースである。
【００４７】
補助データ重畳装置２０ａ、２０ｂは、映像機器側送受信部２０３、操作器側送受信部２０４を備えていることで既存の撮像装置１０や各伝送拠点、操作器３０の間に挿入して接続可能である。なお、本実施例では、補助データ重畳装置２０ａは撮像装置１０の外部に構成したが、撮像装置１０の内部に構成してもよい。
【００４８】
ここで、ＣＰＵ２０２の内部処理のフローに関して図４を参照しながら説明する。
【００４９】
ＣＰＵ２０２は、映像機器側送受信部２０３を介して撮像装置１０や他の映像機器から送信される信号、及び操作器側送受信部２０４を介して操作器３０から送信される信号（コマンド）を受信する（ステップＳ１）。
【００５０】
次に、ステップＳ２において、撮像装置１０や他の映像機器から送信される信号を受信した場合はステップＳ１１に進み、操作器３０から信号（コマンド）を受信した場合はステップＳ３に進む。
【００５１】
ステップＳ３では、操作器３０から受信した信号（コマンド）の種別を判断する。撮像装置１０や他の映像機器を制御する制御コマンドの場合はステップＳ４に進む。ここで、制御コマンドとは、具体的には、カメラ１のズーミング、フォーカシング等のレンズ制御、ゲイン、シャッター等のカメラ制御、パンニング、チルティング等の電動雲台２を制御するコマンドや補助データ重畳装置２０ｂに接続されている映像機器を制御するコマンドである。また、補助データ重畳装置２０ａ、２０ｂに設定する補助データ設定コマンドの場合はステップＳ６に進む。補助データ設定コマンドとは、前述した補助データ設定情報、カメラ設置場所情報、コメント情報、重畳項目フラグ情報等を設定するコマンドである。補助データ重畳装置２０ａ、２０ｂに入力された映像信号３に補助データが多重されているライン及びバイト数を取得する補助データ受信取得コマンドの場合はステップＳ７に進む。
【００５２】
ステップＳ４では、映像機器側送受信部２０３に制御コマンドを出力し、ステップＳ１に戻る。
【００５３】
ステップＳ６では、メモリ２０５へ補助データ設定情報を書き込み、ステップＳ９へ進む。
【００５４】
ステップＳ７では、メモリ２０５から映像信号に重畳されている補助データの多重ライン、バイト数等を読み出し、ステップＳ１０へ進む。
【００５５】
ステップＳ１０では、読み出した情報を操作器側送受信部２０４へ出力し、ステップＳ１へ戻る。
【００５６】
ステップＳ１１では、撮像装置１０や他の映像機器から受信した信号を、操作器３０へ送信するために操作器側送受信部２０４へ出力し、ステップＳ１２へ進む。
【００５７】
ステップＳ１２では、撮像装置１０から受信した信号が、補助データ情報か否かを判断する。受信コマンドが補助データ情報の場合はステップＳ１３に進む。ステップＳ１２において、補助データ情報でない場合、例えば、操作器からの制御コマンドに対するアンサーバックや撮像装置１０や他の映像機器からのアラーム信号等である場合は、ステップＳ１に戻る。
【００５８】
ステップＳ１３では、どのデータを重畳するかの情報を含む重畳項目フラグ情報と受信した補助データ情報とを比較して、受信した補助データ情報が重畳する項目の場合は、当該補助データ情報を映像出力信号処理部２０６へ出力し（ステップＳ１４）、ステップＳ１に戻る。受信した補助データ情報が重畳する項目でない場合は、映像出力信号処理部２０６へ補助データ情報を出力することなく、ステップＳ１に戻る。
【００５９】
このように、図４を参照しながら述べたフローに従って、ＣＰＵ２０２は、受信したコマンドに応じて適宜、映像機器側送受信部２０３、操作器側送受信部２０４、映像入力信号処理部２０１、映像出力信号処理部２０６、メモリ２０５へのデータ読み込むや書き込み、コマンドを出力すべきか否かを判断している。
【００６０】
以上説明してきたように補助データ重畳装置２０ａ、２０ｂは、映像機器側送受信部２０３、操作器側送受信部２０４を備え、ＣＰＵ２０２で撮像装置１０や他の映像機器または操作器３０から入力された信号を識別し、ケースに応じた情報やコマンドを送信すべき構成部に出力している。
【００６１】
≪操作器３０≫
次に、操作器３０に関して図５を用いて説明する。操作器３０は、操作パネル部３０１、ＣＰＵ３０２、送受信部３０３、メモリ３０４、タッチパネル付き表示部３０５、映像信号処理部３０６から構成されている。
【００６２】
操作パネル部３０１は、カメラ１のズーム、フォーカス等のレンズ制御、ゲイン、シャッター速度等のカメラ制御を行う複数のハードキー（図示せず）と、電動雲台２をパンニング、チルティングするためのジョイスティックや十字キー等（図示せず）の操作部材で構成されている。
【００６３】
ＣＰＵ３０２は、操作パネル部３０１と接続され、操作パネル部３０１の操作部材で操作された信号を受信し、送受信部３０３を介して他の装置、本実施例では補助データ重畳装置２０ａ、２０ｂにカメラ１、電動雲台２、映像機器（図示せず）の制御信号（コマンド）を送信する。また、補助データ重畳装置２０ａ，２０ｂから送信されてきた映像機器の情報データを受信し、表示部３０５に表示している。さらに、ＣＰＵ３０２は、表示部３０５のタッチパネルから設定された補助データ設定情報を補助データ重畳装置２０ａ、２０ｂへ送信している。
【００６４】
映像信号処理部３０６は、伝送システムにて伝送された映像信号（本実施例ではＨＤ−ＳＤＩ信号）を受信しパラレル変換し、補助データが多重されているライン及びバイト数の検出を行い、その結果をＣＰＵ３０２に出力し、メモリ３０４に記憶する。
【００６５】
ここで、本実施例で特徴的である各伝送システムにおける補助データの重畳位置の変更フローに関して図６を参照しながら説明する。
【００６６】
各補助データ重畳装置２０ａ、２０ｂに対して操作パネル部３０１から多重設定コマンドを出力送受信部３０３に送信する処理を受け付ける（ステップＳ３０）。
【００６７】
次にステップ３１にて各補助データ重畳装置に入力された映像信号に多重された補助データの重畳ライン、重畳映像サンプル番号や重畳ワード数などを多重取得情報として図７のようなテーブルデータとしてメモリ３０４に記憶する。
【００６８】
次にステップ３２にてステップ３１で取得した多重取得情報に加え、補助データ重畳装置に追加多重設定する情報を追加し送受信部３０３より補助データ重畳装置に重畳設定コマンドを送信し、例えば図８に示すような重畳ライン、重畳映像サンプル番号や重畳ワード数などをテーブルデータとしてメモリ３０４に記憶する。
【００６９】
次にステップ３３にて操作器に入力された映像信号に多重された補助データの重畳ライン、重畳映像サンプル番号や重畳ワード数などを多重取得情報として図７のテーブルデータに追加しメモリ３０４に記憶する。
【００７０】
次にステップＳ３４にて図７の多重取得情報テーブルと図８の多重設定情報テーブルを比較し伝送システムでの重畳補助データの欠損を検索する。具体的には伝送区間Ａでの重畳した補助データの欠損は図７の多重取得情報の『重畳装置Ｂ』と図８の多重設定情報『重畳装置Ａ』を比較、伝送区間Ｂで重畳した補助データの欠損は図７の多重取得情報の『操作器』と図８の多重設定情報『重畳装置Ｂ』を比較することによって検索可能である。例では伝送区間Ａでの重畳した補助データの欠損はゼロで、伝送区間Ｂでの重畳した補助データの欠損はライン１９と２０であることがわかる。
【００７１】
次にステップＳ３５で重畳した補助データの欠損がゼロの場合は多重設定コマンド処理を終了する。重畳した補助データの欠損がゼロでない場合は補助データが欠損した伝送区間の補助データ重畳装置の設定（重畳ライン、重畳映像サンプル番号や重畳ワード数）を変更（ステップ３６）し、ステップＳ３１に戻る。前記処理を重畳した補助データの欠損がゼロになるまで繰り返す。例では伝送区間Ｂにおいてライン１９とライン２０が欠損しているため、欠損ラインを他のラインに振替し、重畳した補助データの欠損がゼロになるまで繰り返す。
【００７２】
本実施例では、比較結果を操作器３０のメモリ３０４に記憶したが、補助データ重畳装置２０ａ、２０ｂのメモリ２０５に記憶させ、操作器３０から結果を呼び出すようにしても良い。
【００７３】
送受信部３０３は、補助データ重畳装置２０ａ、２０ｂとＲＳ−２３２やＲＳ−４２２等の所定の通信プロトコルで送受信するためのインタフェースである。補助データ重畳装置２０を使用しない時は、撮像装置１０や他の装置、モデムやＲＳ−４２２／２３２変換装置等と接続可能なインタフェースとなっている。
【００７４】
以上説明してきたように操作器３０は、撮像装置１０の制御を行うだけの操作器だけではなく、補助データ重畳装置２０ａ、２０ｂに補助データの設定を行う機能、各伝送区間で映像伝送システムの補助データを重畳することが可能な重畳位置を検索し、重畳するライン位置の振替を行う機能も兼備している。
【符号の説明】
【００７５】
１０  撮像装置、２０ａ，２０ｂ     補助データ重畳装置、３０  操作器、
８０ａ，８０ｂ  伝送システム
【図１】
2017216534.tif 000003
【図２】
2017216534.tif 000004
【図３】
2017216534.tif 000005
【図４】
2017216534.tif 000006
【図５】
2017216534.tif 000007
【図６】
2017216534.tif 000008
【図７】
2017216534.tif 000009
【図８】
2017216534.tif 000010
【図９】
2017216534.tif 000011